(57)【特許請求の範囲】
【請求項１】
前下方に設けたピックアップ装置（１０）で拾い上げた収集物を受ける搬入装置（１１）と該搬入装置（１１）に収集物を押しつける押圧部材（１２）を設けて収集物をベール成形室（５）内に搬入するロールベーラにおいて、押圧部材（１２）を固定機枠（１８）の左右側板間に横架した支軸（３２）に所定間隔で配設する複数の板体（１２ａ），（１２ａ）で構成し、この板体（１２ａ）の先端をベール成形室（５）内に延長すると共に、側面視においてこの板体（１２ａ）を支軸（３２）の取付部から順次下降傾斜させて終端部を搬入装置（１１）に接近させ、又、この板体（１２ａ）の上縁を湾曲状に下降傾斜させ先端部においてその高さを低く構成し、更に、該板体（１２ａ）と杆体（１２ｂ）を搬入装置上方に所定間隔で配設して押圧部材（１２）を構成すると共に、板体（１２ａ）の先端が浮き上がるに従って杆体（１２ｂ）の先端が強く押し下げられるようにしたことを特徴とするロールベーラ。
【発明の詳細な説明】
【０００１】
【産業上の利用分野】
本発明は、刈り倒した牧草や脱穀して地上へ放置した排藁等の収集物を収集してロール状のベールに圧縮して梱包するロールベーラに関する。
【０００２】
【従来の技術】
ロールベーラは、地上の収集物をピックアップ装置で掻き上げて搬入装置でベール成形室内へ送り込みロール状のベールに圧縮成形するようにしている。
上り傾斜して設ける搬入装置上から収集物が落下しないように収集物を搬入装置に向けて押し付ける押圧部材を設けた構造のロールベーラもある。
【０００３】
【発明が解決しようとする課題】
搬入装置でベール成形室内へ送り込まれた収集物は、ベール成形室内で回転しながら圧縮されるが、一部の収集物がベール成形室の取入口から溢れ出て取入口に滞積して収集物の送り込みに支障となったり搬入装置上方に設けるトワイン供給装置からのトワインをベール成形室内へ送り込む作用が悪くなりベールの梱包が行えなくなったりする。
【０００４】
【課題を解決するための手段】
本発明では、前下方に設けたピックアップ装置１０で拾い上げた収集物を受ける搬入装置１１と該搬入装置１１に収集物を押しつける押圧部材１２を設けて収集物をベール成形室５内に搬入するロールベーラにおいて、押圧部材１２を固定機枠１８の左右側板間に横架した支軸３２に所定間隔で配設する複数の板体１２ａ，１２ａで構成し、この板体１２ａの先端をベール成形室５内に延長すると共に、側面視においてこの板体１２ａを支軸３２の取付部から順次下降傾斜させて終端部を搬入装置１１に接近させ、又、この板体１２ａの上縁を湾曲状に下降傾斜させ先端部においてその高さを低く構成し、更に、該板体１２ａと杆体１２ｂを搬入装置上方に所定間隔で配設して押圧部材１２を構成すると共に、板体１２ａの先端が浮き上がるに従って杆体１２ｂの先端が強く押し下げられるように構成した。
【０００５】
【発明の作用及び効果】
ピックアップ装置１０で拾い上げられた収集物は搬入装置１１上に乗って押圧部材１２をなす複数の板体１２ａ，１２ａで押さえ付けられながらベール成形室５内へ送り込まれる。この送り込みの際にベール成形室５内まで延長される板体１２ａの先端で押さえ付けられながら確実に送り込まれ、例えベール成形室５内から板体１２ａ上へ収集物の一部が溢れ出ても、板体１２ａ先端部の高さが低く構成されており所定間隔をおいて配設される複数の板体１２ａ，１２ａ間において下方の搬入装置１１の送り作用を受け、再びベール成形室５内へ送り込まれ、取入口に収集物が滞積することがない。
【０００６】
また、搬入装置１１上に多く収集物が集まって層が厚くなった場合に、板体１２ａの先端が浮き上がっても杆体１２ｂの先端が押し下げられ収集物の浮き上がりを防いで収集物のベール成形室５内への送り込みが悪くなることがない。
【０００７】
【実施例】
次に、本発明の実施例を図面を参照しながら説明する。
ロールベーラの全体構成は、図４と図５に示す如く、クローラ１５からなる走行装置１６を装備した走行機台１７の前方にピックアップ装置１０を設け、走行機台１７上に搭載した固定機枠１８と可動機枠１９との内部にベール成形室５を形成し、このベール成形室５とピックアップ装置１０との間に搬入装置１１を設けている。走行機台１７上の固定機枠１８と可動機枠１９との側部には、内部に原動機を搭載した原動枠２０を設けている。
ピックアップ装置１０は、横方向に配列した複数の円弧状ガイド環２１の各配列間隙から突出させた掻上杆２２が下方から前上方へ向けて回動して地上に散在する牧草や排藁等の収集物を上方へ拾い上げるようにしたもので、掻上杆２２を枢支した円板２３を円弧状ガイド環２１の左右両外側部に立設した側枠２４に横架した回転軸２５に固着し、側枠２４を搬入装置１１の先端回転軸２６に枢支して、掻上杆２２の先端が地面に接近して回転する収集作用位置と上方の格納位置との間で全体が上下動するようにしている。このピックアップ装置１０の上下動は、原動枠２０の側部に設けた昇降レバー２７の回動操作によって行えるようにしている。
【０００８】
この搬入装置１１は、前方のピックアップ装置１０で地上から拾い上げた収集物を受けて後方のベール成形室５内へ送り込むもので、前後の回転軸２６，２８の左右側部に取り付けたスプロケット２９，３０にパイプ状の搬送杆３１を密な間隔で横架した構成である。
搬入装置１１の上方には、固定機枠１８の左右側板間に横架した支軸３２に所定間隔で取り付けた板体１２ａとこの板体１２ａの先端に取り付けたピアノ線等の杆体１２ｂからなる押圧部材１２を設け、収集物を搬入装置１１上へ押さえ付けるようにしている。
さらに搬入装置１１の前部には、前記ピックアップ装置１０の飛散防止板３２に取り付けたピアノ線３３で収集物を押さえ付けるようにしている。
【０００９】
図３に示すのは、押圧部材１２の別実施例で、板体１２ａを支軸３２に回動可能に横方向一定間隔で配設し、この上方に横架した別の支軸３４に取付具３５を枢支し、この取付具３５の下方突出部３６を板体１２ａに当接している。取付具３５にはピアノ線からなる杆体１２ｂを取り付けている。
取付具３５の一端にはばね３７を張架して板体１２ａと杆体１２ｂを下方の搬入装置１１に向けて押し下げるようにしていて、板体１２ａの先端が上方へ押し上げられると取付具３５が上方へ押し上げられ杆体１２ｂ先端が下方へ強く押し下げられる関係になる。
固定機枠１８は、走行機台１７上に固定し、後部の可動機枠１９を上部の枢支軸３８で枢支して、固定機枠１８と可動機枠１９との間に介装した油圧シリンダ（図示省略）を伸長すると可動機枠１９が上方へ回動して内部のベール成形室５を開放し、ロール状に圧縮梱包されたベールを後方へ転がり出させるようにしている。
【００１０】
固定機枠１８と可動機枠１９の内部には、固定機枠１８側の取入口６０の上方に横架した回転軸３９と可動機枠１９の後下部に横架した回転軸４０のそれぞれ左右側部に取り付けたスプロケット４１，４２に巻き掛けたエンドレスチェン３，３に一定間隙でパイプ状の搬送体４を横架し、チェン３，３の内腔側を側壁１，１の外周に取り付けた円弧状のレール２，２に沿わせて移動するようにし、外周側を２個のガイドスプロケット４３，４４と１個のテンションスプロケット４５によってエンドレスに移動するようにしている。つまり、ベール成形室５は、左右の側壁１，１の外周の搬送体４によって円筒状の中空室が形成されていることになる。
左右の側壁１，１は略中央で固定側壁１ａと可動側壁１ｂに分割され、外周のレール２も固定側壁２ａと可動側壁２ｂに分割され、その連結部は図１に示す如く、外周に一部径を異ならせて段部６ができるようにしている。従ってチェン３がこの部分では浮き上がっている間隙Ａが形成され、この間隙Ａでチェン３とレール２との間に挾った収集物が外れるようになる。
【００１１】
可動側壁１ｂの下部には、図２に示す如くチェン３に向けて切刃４６を取り付け、チェン３とレール２との間に入り込む収集物の一部を切断するようにしている。
テンションスプロケット４５は、ベール成形室５内のベールの径が増加するに伴って外側から内方へ移動するので、このスプロケット４５の位置によってベール径が判断でき、適宜の位置で収集物の取り込みを停止してトワインをベールに巻き付けることで梱包したベール径を任意のものとすることができる。
固定機枠１８と可動機枠１９の外周はそれぞれ覆板４７，４８で覆って、収集物と一緒にベール成形室５内へ入り込んだ粉塵が外方へ飛散しないようにしている。
固定機枠１８の前側で搬入装置１１の上方には、トワイン供給装置４９を設け、ベール成形室５でロール状に圧縮されたベールにトワインを供給して外周に螺旋状に巻き付けて梱包する。
固定機枠１８の後下部には、ベール成形室５から転がり出るベールを走行装置１６の後側へ案内する案内板５０を設けている。
【００１２】
原動枠２０の後上部には、トワイン供給装置４９の駆動を断続するのとベール成形室５を開閉するのを１本で行えるようにした作業・開閉兼用レバー５１、左右の走行装置１６の駆動を断続して旋回方向を変えるサイドクラッチレバー５２，５２、走行速度を変える変速レバー５３及び走行の継続を行う走行クラッチレバー５４を設けて、原動枠２０の後側に位置した作業者が操縦を行えるようにしている。５５は座席、５６は足置台である。
以上の如く構成したロールベーラで収集作業を行うには、次の如くする。
ピックアップ装置１０、搬入装置１１、ベール成形圧縮用チェン３等を駆動しながら走行装置１６を走行させると、地面上に散在する収集物がピックアップ装置１０で搬入装置１１上へ拾い上げられ、ベール成形室５内へ送り込まれてロール状のベールに圧縮成形される。
ベール成形室５内でベールが所定径に圧縮されると、走行装置１６を停止してトワイン供給装置４９を駆動してトワインをベールの外周に巻き付けて梱包する。
その後可動機枠１９を上方へ回動させてベールを機外へ転り出せる。
【図面の簡単な説明】
【図１】  本発明実施例の部分拡大側断面図である。
【図２】  本発明実施例の部分拡大正断面図である。
【図３】  本発明の別実施例を示す部分拡大側断面図である。
【図４】  本発明実施例の全体側断面図である。
【図５】  本発明実施例の全体平面図である。
【符号の説明】
５      ベール成形室
１０    ピックアップ装置
１１    搬入装置
１２    押圧部材
１２ａ  板体
１２ｂ  杆体
【図１】
0003644465.tif 000002
【図３】
0003644465.tif 000003
【図２】
0003644465.tif 000004
【図４】
0003644465.tif 000005
【図５】
0003644465.tif 000006